(57)【要約】【課題】振動マッサージ機能とエアゾールによる内容物噴射機能を有し、振動マッサージ機能とエアゾールによる内容物噴射機能の使用の有無を容易に選択しうる振動マッサージ機能付きエアゾール装置を提供する。【解決手段】エアゾール器のステムに取り付けるマッサージ具を患部に押し付けてステムを押し込むことにより、エアゾール器の内容物をステムから噴出して患部に吹き付けるとともに、スイッチをオンしてモーターを駆動し、振動を発生してマッサージ具で患部のマッサージを行う振動マッサージ機能付きエアゾール装置において、マッサージ具と、モーターと、スイッチと、そのスイッチをオンしたときモーターを駆動する電池と、を有する振動発生装置と、振動発生装置をエアゾール器に取り付ける際に振動発生装置を安定に保持し、ステムを制御するロック部材を有するショルダー部材と、を有する振動マッサージ機能付きエアゾール装置である。【選択図】図１
2015002935.tif 000002
【特許請求の範囲】
【請求項１】
エアゾール器のステムに取り付けるマッサージ具を患部に押し付けて前記ステムを押し込むことにより、前記エアゾール器の内容物を前記ステムから噴出して患部に吹き付けるとともに、スイッチをオンしてモーターを駆動し、振動を発生して前記マッサージ具で患部のマッサージを行う振動マッサージ機能付きエアゾール装置において、
前記マッサージ具と、前記モーターと、前記スイッチと、そのスイッチをオンしたとき前記モーターを駆動する電池と、を有する振動発生装置と、
前記振動発生装置を前記エアゾール器に取り付ける際に前記振動発生装置を安定に保持し、前記ステムを制御するロック部材を有するショルダー部材と、
を有することを特徴とする振動マッサージ機能付きエアゾール装置。
【請求項２】
前記振動発生装置が電池カバーを有し、該電池カバーを外すことで電池交換ができる請求項１記載の振動マッサージ機能付きエアゾール装置。
【請求項３】
前記マッサージ具が、前記振動発生装置から取り外しが可能である請求項１または２記載の振動マッサージ機能付きエアゾール装置。
【請求項４】
前記マッサージ具が、中央に突起部を有し、その周りに花弁状の突起部を有する請求項１〜３のうちいずれか一項に記載の振動マッサージ機能付きエアゾール装置。
【請求項５】
前記マッサージ具が、外周部に突起部を有し、前記突起部は、外部に向かって湾曲しながら上方にのび、前記突起部の先端が球状である請求項１〜３のうちいずれか一項に記載の振動マッサージ機能付きエアゾール装置。
【請求項６】
前記エアゾール器が、育毛用である請求項１〜５のうちいずれか一項に記載の振動マッサージ機能付きエアゾール装置。
【請求項７】
前記エアゾール器が、ボディ用の化粧料である請求項１〜５のうちいずれか一項に記載の振動マッサージ機能付きエアゾール装置。
【発明の詳細な説明】
【技術分野】
【０００１】
本発明は、振動マッサージ機能付きエアゾール装置に関し、特に、振動マッサージ機能とエアゾールによる内容物噴射機能を有し、前記振動マッサージ機能と前記エアゾールによる内容物噴射機能の使用の有無を容易に選択しうる振動マッサージ機能付きエアゾール装置に関する。
【背景技術】
【０００２】
従来から、エアゾール製品は、育毛剤、ボディ用化粧料など様々な製品が発売されている。一方、振動マッサージ機能を有する機器は頭皮や肌を柔らかくするため、薬剤等の内容物の浸透を助け、内容物の効能をより顕著にする効果があった。そのため、内容物の投与と振動を同時に与えることが求められ、様々な機器の開発が行われている。
【０００３】
例えば、特許文献１には、養毛剤を収容するエアゾール容器において、振動を起こすモーターを備え、その回転軸の中心線が噴出口の中心線と合致する電動マッサージ器一体型養毛用器具が開示されている。
【０００４】
また、特許文献２には、エアゾール容器の下底外面に接続し得る振動モーターと、エアゾール容器のキャップに形成し、キャップから突出したステムを押圧することにより内容物の噴射が可能なバルブ機構と、このバルブ機構のステムに接続しエアゾール内容物を噴出するノズルを設けるとともに人の頭部に押圧した状態でステムを押圧し、エアゾール内容物のノズルからの噴射を可能とした噴射ボタンとからなる振動マッサージ機構付エアゾール装置が開示されている。
【０００５】
しかしながら、特許文献１および２記載の装置では、エアゾール器の本体ケース内にマッサージ具に振動を与えるモーターや偏心錘や電池を備えているため、エアゾール器の内容物がなくなったときには、電池交換できるとしても、モーターや偏心錘はエアゾール器ごと廃棄しなければならず、非常に不経済であるという問題点があった。また、振動装置がエアゾール容器の下部にあるためエアゾールを持っている手への振動が大きく、マッサージ具に充分な振動が伝わらないという問題点があった。
【０００６】
そこで、特許文献３には、エアゾール器のステムに取り付けるマッサージ具を患部に押し付けてステムを押し込むことにより、エアゾール器の内容物をステムから噴出して患部に吹き付けるとともに、スイッチをオンしてモーターを駆動し、振動を発生してマッサージ具で患部のマッサージを行う振動マッサージ機能付きエアゾール装置で、振動を発生する部分をユニット化し、その振動発生ユニットをエアゾール器に対して着脱自在に取り付けてなる、振動マッサージ機能付きエアゾール装置が開示されている。
【先行技術文献】
【特許文献】
【０００７】
【特許文献１】特開平０９−２３８７５０号公報
【特許文献２】特開平０９−１８８３７０号公報
【特許文献３】特開平１１−３４２２０１号公報
【発明の概要】
【発明が解決しようとする課題】
【０００８】
しかしながら、特許文献３記載の振動マッサージ機能付きエアゾール装置は、エアゾールの噴射により振動装置のスイッチがオンになるため、内容物の噴射による投与と振動を同時に与えることができるものの、内容物の噴射による投与のみ、あるいは振動装置による振動のみを与えることができない。そのため、内容物により頭皮や肌を柔らかくして浸透性をあげた後に振動を加えてマッサージする場合や、体調の都合により内容物の噴射による投与のみ、あるいは振動装置による振動のみを希望する場合には、エアゾールから振動マッサージ機能装置を外したり、あるいは空のエアゾールに振動マッサージ機能装置を取り付けなければならず、極めて不便であるという問題点があった。
【０００９】
そこで本発明の目的は、前記の従来技術の問題を解決し、振動マッサージ機能とエアゾールによる内容物噴射機能を有し、前記振動マッサージ機能と前記エアゾールによる内容物噴射機能の使用の有無を容易に選択しうる振動マッサージ機能付きエアゾール装置を提供することにある。
【課題を解決するための手段】
【００１０】
本発明者らは、前記課題を解決すべく鋭意検討を行った結果、振動マッサージ機能とエアゾールによる内容物噴射機能を別々に制御できる構造とすることによって、前記目的を達成し得ることを見出し、本発明を完成するに至った。
【００１１】
即ち、本発明の振動マッサージ機能付きエアゾール装置は、エアゾール器のステムに取り付けるマッサージ具を患部に押し付けて前記ステムを押し込むことにより、前記エアゾール器の内容物を前記ステムから噴出して患部に吹き付けるとともに、スイッチをオンしてモーターを駆動し、振動を発生して前記マッサージ具で患部のマッサージを行う振動マッサージ機能付きエアゾール装置において、
前記マッサージ具と、前記モーターと、前記スイッチと、そのスイッチをオンしたとき前記モーターを駆動する電池と、を有する振動発生装置と、
前記振動発生装置を前記エアゾール器に取り付ける際に前記振動発生装置を安定に保持し、前記ステムを制御するロック部材を有するショルダー部材と、
を有するものである。
【００１２】
また、本発明の振動マッサージ機能付きエアゾール装置は、前記振動発生装置が電池カバーを有し、該電池カバーを外すことで電池交換ができることが好ましく、さらに、前記振動発生装置から取り外しが可能であることが好ましい。
【００１３】
さらにまた、本発明の振動マッサージ機能付きエアゾール装置は、前記マッサージ具が、中央に突起部を有し、その周りに花弁状の突起部を有することが好ましく、外周部に突起部を有し、前記突起部は、外部に向かって湾曲しながら上方にのび、前記突起部の先端が球状であることが好ましい。
【００１４】
さらにまた、本発明の振動マッサージ機能付きエアゾール装置は、前記エアゾール器が、育毛用であることが好ましく、前記エアゾール器が、ボディ用の化粧料であることが好ましい。
【発明の効果】
【００１５】
本発明によると、振動マッサージ機能とエアゾールによる内容物噴射機能を有し、前記振動マッサージ機能と前記エアゾールによる内容物噴射機能の使用の有無を容易に選択しうる振動マッサージ機能付きエアゾール装置を提供することができる。
【図面の簡単な説明】
【００１６】
【図１】本発明の振動マッサージ機能付きエアゾール装置の部材の一例を示す断面図である。
【図２】本発明の振動マッサージ機能付きエアゾール装置の装着の一例を示す断面図である。
【図３】本発明に使用できる振動発生装置の一例を示す側面図である。
【図４】本発明に使用できる振動発生装置の一例を示す断面図である。
【図５】本発明に使用できるロック部材の一例を示す斜視図である。
【図６】本発明に使用できるショルダー部材によるステムを制御の一例を示す側面図である。
【図７】本発明に使用できる振動発生装置の電池交換の一例を示す図である。
【図８】落下防止機構を示す図である。
【図９】本発明に使用できるマッサージ具の一例を示す断面図である。
【図１０】本発明に使用できるマッサージ具の一例を示す上面図である。
【図１１】本発明に使用できるマッサージ具の他の一例を示す断面図である。
【図１２】本発明に使用できるマッサージ具の他の一例を示す上面図である。
【発明を実施するための形態】
【００１７】
以下、本発明の振動マッサージ機能付きエアゾール装置ついて具体的に説明する。
図１は、本発明の振動マッサージ機能付きエアゾール装置の部材の一例を示す断面図である。部材としては、ショルダー部材２および振動発生装置３を有する振動マッサージ機能付きエアゾール装置５と、エアゾール器１と、キャップ４とを有している。
【００１８】
図２は、本発明の振動マッサージ機能付きエアゾール装置の装着の一例を示す断面図である。エアゾール器１にショルダー部材２と、マッサージ具６を有する振動発生装置３とを乗せ、キャップ４を装着している。ショルダー部材２とエアゾール器１との接合は、エアゾール器（スロットルショルダー缶）１のアンダーカット部１４とショルダー部材２の凸部２１が嵌合することによって固定される。また、ショルダー部材２で振動発生装置３を保持し、振動発生装置３の底部の穴にエアゾール器１のステム１３を挿入するだけで簡単に装着できる。さらに、かかる構造とすることにより、振動発生装置３をエアゾール器１に取り付ける際に振動発生装置３を安定に保持することができる。
【００１９】
図３は、本発明に使用できる振動発生装置の一例を示す側面図であり、図４は、本発明に使用できる振動発生装置の一例を示す断面図である。振動発生装置３は、スイッチ３２を有している。また、振動発生装置３の内部には、図４に示すように、電池３３、モーター３５、偏芯おもり３６および運搬管３７を有している。該スイッチ３２をオンすることにより、電池３３を動力源としてモーター３５が駆動し、偏芯おもり３６を振動させることで、マッサージ具６に振動を与える。これにより、マッサージ具６を患部にあてながら振動を加えてマッサージを行うことができる。
【００２０】
本発明において、ショルダー部材２は、ステム１３を制御するロック部材２２を有している。かかるロック部材としては、振動の発生制御とは別にステム１３を制御できればその方式は問わない。一例として、図５に本発明に使用できるロック部材の一例を示す斜視図を示し、図６に本発明に使用できるショルダー部材によるステムを制御の一例を示す側面図を示す。図５に示すように、ロック部材２２は穴２３を有している。そのため、図６（ａ）に示すように、ロック部材２２によりロックされている状態では、ロック部材２２の穴２３と振動発生装置３の底部にあるリブ３１が干渉し、ステム１３を押し込むことができず、これによりエアゾール器１からの内容物の噴出を防止できる。一方、図６（ｂ）および図６（ｃ）に示すように、ロック部材２２を解除している状態では、ロック部材２２の穴２３がエアゾール器１の中央部にあり、振動発生装置３のリブ３１がロック部材２２に干渉しないため、ステム１３を押し込むことが可能となる。そして、マッサージ具６を患部に押し付けてステム１３を押し込むことで図６（ｂ）の未噴射の状態から図６（ｃ）の噴射の状態になり、エアゾール器１の内容物をステム１３から運搬管３７を経由して噴出させ、患部に吹き付けることができる。かかる構造とすることにより、振動マッサージ機能とエアゾールによる内容物噴射機能を別々に制御することが可能となる。なお、図５に示すロック部材２２は、一枚の板状であり、ロック状態でもロック解除の状態でもどちらか一方の端がショルダー部材２から飛び出るようになっている。
【００２１】
図７は、本発明に使用できる振動発生装置の電池交換の一例を示す図である。図７（ａ）に示すように、振動発生装置３は電池カバー３４を有している。そして、図７（ｂ）に示すように、該電池カバー３４を取り外すことができ、容易に電池３３を交換することができる。これにより、特開平１１−３４２２０１号公報記載のように電池交換をするたびにカセットケースを取り出すことが不要になり、振動マッサージ機能付きエアゾール装置５から直接電池３３を交換することができる。また、カセットケース自体を不要とするものであるため部品数が減り、手間暇だけでなくコスト的な効果も得られる。
【００２２】
図８は、落下防止機構を示す図である。図１、図２および図８（ａ）に示すように、ショルダー部材２に落下防止保護部材２４が取り付けられている。また、図８（ｂ）に示すように、振動発生装置３には凸部３９が設けられている。図８（ａ）に示すように、振動発生装置３の凸部３９に落下防止保護部材２４が引っかかることによって振動発生装置３が上方向に抜けることを抑止できる。これにより、エアゾール器１が振れたり、使用中に振動発生装置３が落下するのを防止する仕組みとなっている。さらに、電池カバー３４が外れることを防止できる。
【００２３】
また、本発明において、マッサージ具６が振動発生装置３から取り外しが可能である。図１および図２に示すように、マッサージ具６の振動発生装置との接合部６１の内径が振動発生装置３の上部３８の外径に一致する大きさになっているため、接合用のツメ等を設けることなく、接合部６１を上部３８にはめ込むだけで簡単に装着でき、取り外しが可能である。さらに、かかる構造とすることにより、様々な形状のマッサージ具６に取り換えることが容易で、しかも安定に保持することができる。
【００２４】
図９は、本発明に使用できるマッサージ具の一例を示す断面図であり、図１０は、本発明に使用できるマッサージ具の一例を示す上面図である。マッサージ具６は、中央に突起部６３を有し、その周りに花弁状の突起部６２を有している。突起部６３で患部を刺激し、花弁状の突起部６２で患部への密着性を良くしている。
【００２５】
本発明において、突起部６３の形状としては、患部を刺激し、振動効果を与えることができるものであれば特に限定されないが、円柱状または円錐台であることが好ましい。また、大きさとしては、直径が１．５〜３．０ｍｍであることが好ましく、長さが７．０〜１２．０ｍｍであることが好ましい。かかる大きさとすることにより、よりツボを的確に刺激することができる。
【００２６】
本発明において、花弁状の突起部６２の形状としては、患部への密着性を良好にできれば特に限定されない。また、大きさとしては、横幅が８．０〜１０．０ｍｍであり、厚みが５．０〜８．０ｍｍであり、長さが１０．０〜１５．０ｍｍであることが好ましい。かかる大きさとすることにより、より密着性を高めることができる。
【００２７】
図１１は、本発明に使用できるマッサージ具の他の一例を示す断面図であり、図１２は、本発明に使用できるマッサージ具の他の一例を示す上面図である。マッサージ具６は、外周部に突起部６４を有し、突起部６４は、外部に向かって湾曲しながら上方にのび、突起部６４の先端６５が球状である。突起部６４の先端６５で患部を刺激するとともに、突起部６４が患部の形状にあわせて変形して患部への密着性をよくしている。
【００２８】
本発明において、突起部６３、６４、先端６５および花弁状の突起部６２の材質としては、本発明の効果が得られれば特に限定されないが、例えば、弾性力を備える合成樹脂材料等があり、エラストマー（スチレン系、ポリエステル系、オレフィン系、ウレタン系など）等を用いることができる。
【００２９】
本発明において、取り付けることができるエアゾール器としては、振動マッサージ機能付きエアゾール装置５が取り付けられる大きさや形状の要件を満たしていれば特に限定されないが、通常市販されているもので人体に使用できるもの、例えば、育毛用やボディ用の化粧料を使用することができる。育毛剤の場合は、頭皮にマッサージ具６をあてて使用し、ボディ用の化粧料の場合は、顔を含め人体の肌にあてて使用することができる。
【００３０】
以下、本発明について、実施例を用いてさらに詳細に説明するが、本発明はこれらの実施例に限定されるものではない。
【実施例１】
【００３１】
市販の育毛剤に図１記載の振動マッサージ機能付きエアゾール装置を取り付けた。スイッチ３２をオンにし、ロック部材２２を解除してマッサージ具６を頭皮にあてることで振動によるマッサージと育毛剤の噴射を同時に行うことができた。また、スイッチ３２をオフにし、ロック部材２２を解除してマッサージ具６を頭皮にあてることで育毛剤の噴射のみを行うことができた。さらに、スイッチ３２をオンにし、ロック部材２２を押し込んでマッサージ具６を頭皮にあてることで振動によるマッサージのみを行うことができた。
【実施例２】
【００３２】
市販のボディ用エアゾールに図１記載の振動マッサージ機能付きエアゾール装置を取り付けた。スイッチ３２をオンにし、ロック部材２２を解除してマッサージ具６を太ももにあてることで振動によるマッサージとボディ用エアゾールの噴射を同時に行うことができた。また、スイッチ３２をオフにし、ロック部材２２を解除してマッサージ具６を太ももにあてることでボディ用エアゾールの噴射のみを行うことができた。さらに、スイッチ３２をオンにし、ロック部材２２を押し込んでマッサージ具６を太ももにあてることで振動によるマッサージのみを行うことができた。
【符号の説明】
【００３３】
１  エアゾール器
１１  肩部
１２  胴部
１３  ステム
１４  アンダーカット部
２  ショルダー部材
２１  凸部
２２  ロック部材
２３  穴
２４  落下防止保護部材
３  振動発生装置
３１  リブ
３２  スイッチ
３３  電池
３４  電池カバー
３５  モーター
３６  偏芯おもり
３７  運搬管
３８  上部
３９  凸部
４  キャップ
５  振動マッサージ機能付きエアゾール装置
６  マッサージ具
６１  振動発生装置との接合部
６２  花弁状の突起部
６３、６４  突起部
６５  先端
【図１】
2015002935.tif 000003
【図２】
2015002935.tif 000004
【図３】
2015002935.tif 000005
【図４】
2015002935.tif 000006
【図５】
2015002935.tif 000007
【図６】
2015002935.tif 000008
【図７】
2015002935.tif 000009
【図８】
2015002935.tif 000010
【図９】
2015002935.tif 000011
【図１０】
2015002935.tif 000012
【図１１】
2015002935.tif 000013
【図１２】
2015002935.tif 000014